(57)【要約】  本開示の実施例は、ダウンリンク制御チャネル送信方法、ダウンリンク制御チャネル検出受信方法および機器を提供する。当該方法において、ダウンリンク制御チャネルブラインド検出周期パラメータを決定することと、前記ダウンリンク制御チャネルブラインド検出周期パラメータに基づいてダウンリンク制御チャネルを送信することとを含む。【選択図】  図４
2021500817.tif 000002
【特許請求の範囲】
【請求項１】
基地局に応用されるダウンリンク制御チャネル送信方法において、
ダウンリンク制御チャネルブラインド検出周期パラメータを決定することと、
前記ダウンリンク制御チャネルブラインド検出周期パラメータに基づいてダウンリンク制御チャネルを送信することとを含む、ダウンリンク制御チャネル送信方法。
【請求項２】
前記ダウンリンク制御チャネルブラインド検出周期パラメータは、少なくともオフセット値および／または周期値を含み、
ここで、前記オフセット値は、端末によるダウンリンク制御チャネルの検出受信が必要な時間領域リソースの、所定の時間領域範囲内のオフセットを示し、
前記周期値は、端末によるダウンリンク制御チャネルの検出受信の周期を示し、
前記オフセット値と前記周期値の単位は、前記時間領域リソースに一致する、請求項１に記載の方法。
【請求項３】
前記ダウンリンク制御チャネルブラインド検出周期パラメータは、所定のダウンリンク制御チャネルブラインド検出周期パラメータである、請求項１に記載の方法。
【請求項４】
前記ダウンリンク制御チャネルブラインド検出周期パラメータは、前記基地局によって構成されたダウンリンク制御チャネルブラインド検出周期パラメータである、請求項１に記載の方法。
【請求項５】
前記オフセット値は、所定の時間領域範囲に含まれる最大時間領域リソース数より小さい任意の整数として構成される、請求項４に記載の方法。
【請求項６】
前記オフセット値は、特定のオフセット値グループから選択されるように構成される、請求項４に記載の方法。
【請求項７】
前記特定のオフセット値グループは、基地局によって構成され、またはプロトコルによって取り決められる、請求項６に記載の方法。
【請求項８】
前記周期値は、所定の周期値グループから選択されるように構成される、請求項４に記載の方法。
【請求項９】
前記所定の時間領域範囲は、時間領域の連続な時間ユニットである、請求項２に記載の方法。
【請求項１０】
前記の前記ダウンリンク制御チャネルブラインド検出周期パラメータに基づいてダウンリンク制御チャネルを送信することは、
前記オフセット値および／または周期値に基づいて、ダウンリンク制御チャネルが送信される時間領域リソースを決定することと、
前記時間領域リソースでダウンリンク制御チャネルを送信することとを含む、請求項２に記載の方法。
【請求項１１】
前記の前記オフセット値および周期値に基づいて、ダウンリンク制御チャネルが送信される時間領域リソースを決定することは、
式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳ（Ｓｕｂｃａｒｒｉｅｒ  Ｓｐａｃｉｎｇ）に対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが送信される時間領域リソースを決定することを含む、請求項１０に記載の方法。
【請求項１２】
前記の前記オフセット値に基づいて、ダウンリンク制御チャネルが送信される時間領域リソースを決定することは、
式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが送信される時間領域リソースを決定することを含む、請求項１０に記載の方法。
【請求項１３】
前記の前記周期値に基づいて、ダウンリンク制御チャネルが送信される時間領域リソースを決定することは、
式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが送信される時間領域リソースを決定することを含む、請求項１０に記載の方法。
【請求項１４】
前記ダウンリンク制御チャネルブラインド検出周期パラメータをユーザ端末に通知することをさらに含む、請求項４に記載の方法。
【請求項１５】
前記の前記ダウンリンク制御チャネルブラインド検出周期パラメータをユーザ端末に通知することは、
ハイレイヤシグナリングまたはＭＩＢ（Ｍａｓｔｅｒ  Ｉｎｆｏｒｍａｔｉｏｎ  Ｂｌｏｃｋ）情報によって、前記ダウンリンク制御チャネルブラインド検出周期パラメータを前記ユーザ端末に送信することを含む、請求項１４に記載の方法。
【請求項１６】
ユーザ端末に応用されるダウンリンク制御チャネル検出受信方法において、
ダウンリンク制御チャネルブラインド検出周期パラメータを決定することと、
前記ダウンリンク制御チャネルブラインド検出周期パラメータに基づいてダウンリンク制御チャネルを検出受信することとを含む、ダウンリンク制御チャネル検出受信方法。
【請求項１７】
前記ダウンリンク制御チャネルブラインド検出周期パラメータは、少なくともオフセット値および／または周期値を含み、
ここで、前記オフセット値は、端末によるダウンリンク制御チャネルの検出受信が必要な時間領域リソースの、所定の時間領域範囲内のオフセットを示し、
前記周期値は、端末によるダウンリンク制御チャネルの検出受信の周期を示し、
前記オフセット値と前記周期値の単位は、前記時間領域リソースに一致する、請求項１６に記載の方法。
【請求項１８】
前記ダウンリンク制御チャネルブラインド検出周期パラメータは、所定のダウンリンク制御チャネルブラインド検出周期パラメータである、請求項１７に記載の方法。
【請求項１９】
前記のダウンリンク制御チャネルブラインド検出周期パラメータを決定することは、
基地局によって構成されたダウンリンク制御チャネルブラインド検出周期パラメータを受信することを含む、請求項１７に記載の方法。
【請求項２０】
基地局によって構成されたダウンリンク制御チャネルブラインド検出周期パラメータを受信することは、
基地局によって構成されたダウンリンク制御チャネルブラインド検出周期パラメータを含むハイレイヤシグナリングまたはＭＩＢ情報を受信することを含む、請求項１９に記載の方法。
【請求項２１】
前記オフセット値は、所定の時間領域範囲に含まれる最大時間領域リソース数より小さい任意の整数として構成される、請求項１９に記載の方法。
【請求項２２】
前記オフセット値は、特定のオフセット値グループから選択されるように構成される、請求項１９に記載の方法。
【請求項２３】
前記特定のオフセット値グループは、基地局によって構成され、またはプロトコルによって取り決められる、請求項２２に記載の方法。
【請求項２４】
前記周期値は、所定の周期値グループから選択されるように構成される、請求項１９に記載の方法。
【請求項２５】
前記所定の時間領域範囲は、時間領域の連続な時間ユニットである、請求項１９に記載の方法。
【請求項２６】
前記の前記ダウンリンク制御チャネルブラインド検出周期パラメータに基づいてダウンリンク制御チャネルを検出受信することは、
前記オフセット値および／または周期値に基づいて、ダウンリンク制御チャネルが検出受信される時間領域リソースを決定することと、
前記時間領域リソースでダウンリンク制御チャネルを検出受信することとを含む、請求項１７に記載の方法。
【請求項２７】
前記の前記オフセット値および周期値に基づいて、ダウンリンク制御チャネルが検出受信される時間領域リソースを決定することは、
式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが検出受信される時間領域リソースを決定することを含む、請求項２６に記載の方法。
【請求項２８】
前記の前記オフセット値に基づいて、ダウンリンク制御チャネルが検出受信される時間領域リソースを決定することは、
式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが検出受信される時間領域リソースを決定することを含む、請求項２６に記載の方法。
【請求項２９】
前記の前記周期値に基づいて、ダウンリンク制御チャネルが検出受信される時間領域リソースを決定することは、
式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが検出受信される時間領域リソースを決定することを含む、請求項２６に記載の方法。
【請求項３０】
ダウンリンク制御チャネルブラインド検出周期パラメータを決定するための第１プロセッサと、
前記ダウンリンク制御チャネルブラインド検出周期パラメータに基づいてダウンリンク制御チャネルを送信するための第１トランシーバとを含む、基地局。
【請求項３１】
前記ダウンリンク制御チャネルブラインド検出周期パラメータは、少なくともオフセット値および／または周期値を含み、
ここで、前記オフセット値は、端末によるダウンリンク制御チャネルの検出受信が必要な時間領域リソースの、所定の時間領域範囲内のオフセットを示し、
前記周期値は、端末によるダウンリンク制御チャネルの検出受信の周期を示し、
前記オフセット値と前記周期値の単位は、前記時間領域リソースに一致する、請求項３０に記載の基地局。
【請求項３２】
前記ダウンリンク制御チャネルブラインド検出周期パラメータは、所定のダウンリンク制御チャネルブラインド検出周期パラメータである、請求項３０に記載の基地局。
【請求項３３】
前記ダウンリンク制御チャネルブラインド検出周期パラメータは、前記基地局によって構成されたダウンリンク制御チャネルブラインド検出周期パラメータである、請求項３０に記載の基地局。
【請求項３４】
前記オフセット値は、所定の時間領域範囲に含まれる最大時間領域リソース数より小さい任意の整数として構成される、請求項３３に記載の基地局。
【請求項３５】
前記オフセット値は、特定のオフセット値グループから選択されるように構成される、請求項３３に記載の基地局。
【請求項３６】
前記特定のオフセット値グループは、基地局によって構成され、またはプロトコルによって取り決められる、請求項３５に記載の基地局。
【請求項３７】
前記周期値は、所定の周期値グループから選択されるように構成される、請求項３３に記載の基地局。
【請求項３８】
前記所定の時間領域範囲は、時間領域の連続な時間ユニットである、請求項３３に記載の基地局。
【請求項３９】
前記第１プロセッサは、さらに、前記オフセット値および／または周期値に基づいて、ダウンリンク制御チャネルが送信される時間領域リソースを決定することに用いられ、
前記第１トランシーバは、さらに、前記時間領域リソースでダウンリンク制御チャネルを送信することに用いられる、請求項３１に記載の基地局。
【請求項４０】
前記第１プロセッサは、さらに、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳ（Ｓｕｂｃａｒｒｉｅｒ  Ｓｐａｃｉｎｇ）に対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが送信される時間領域リソースを決定することに用いられる、請求項３９に記載の基地局。
【請求項４１】
前記第１プロセッサは、さらに、式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが送信される時間領域リソースを決定することに用いられる、請求項３９に記載の基地局。
【請求項４２】
前記第１プロセッサは、さらに、式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが送信される時間領域リソースを決定することを含む、請求項３９に記載の基地局。
【請求項４３】
前記第１トランシーバは、さらに、前記ダウンリンク制御チャネルブラインド検出周期パラメータをユーザ端末に通知することに用いられる、請求項３３に記載の基地局。
【請求項４４】
前記第１トランシーバは、さらに、ハイレイヤシグナリングまたはＭＩＢ情報によって、前記ダウンリンク制御チャネルブラインド検出周期パラメータを前記ユーザ端末に送信することに用いられる、請求項４３に記載の基地局。
【請求項４５】
ダウンリンク制御チャネルブラインド検出周期パラメータを決定するための第２プロセッサと、
前記ダウンリンク制御チャネルブラインド検出周期パラメータに基づいてダウンリンク制御チャネルを検出受信するための第２トランシーバとを含む、ユーザ端末。
【請求項４６】
前記ダウンリンク制御チャネルブラインド検出周期パラメータは、少なくともオフセット値および／または周期値を含み、
ここで、前記オフセット値は、端末によるダウンリンク制御チャネルの検出受信が必要な時間領域リソースの、所定の時間領域範囲内のオフセットを示し、
前記周期値は、端末によるダウンリンク制御チャネルの検出受信の周期を示し、
前記オフセット値と前記周期値の単位は、前記時間領域リソースに一致する、請求項４５に記載のユーザ端末。
【請求項４７】
前記ダウンリンク制御チャネルブラインド検出周期パラメータは、所定のダウンリンク制御チャネルブラインド検出周期パラメータである、請求項４６に記載のユーザ端末。
【請求項４８】
前記第２トランシーバは、さらに、基地局によって構成されたダウンリンク制御チャネルブラインド検出周期パラメータを受信することに用いられる、請求項４６に記載のユーザ端末。
【請求項４９】
前記第２トランシーバは、さらに、基地局によって構成されたダウンリンク制御チャネルブラインド検出周期パラメータを含むハイレイヤシグナリングまたはＭＩＢ情報を受信することに用いられる、請求項４８に記載のユーザ端末。
【請求項５０】
前記オフセット値は、所定の時間領域範囲に含まれる最大時間領域リソース数より小さい任意の整数として構成される、請求項４８に記載のユーザ端末。
【請求項５１】
前記オフセット値は、特定のオフセット値グループから選択されるように構成される、請求項４８に記載のユーザ端末。
【請求項５２】
前記特定のオフセット値グループは、基地局によって構成され、またはプロトコルによって取り決められる、請求項５１に記載のユーザ端末。
【請求項５３】
前記周期値は、所定の周期値グループから選択されるように構成される、請求項４８に記載のユーザ端末。
【請求項５４】
前記所定の時間領域範囲は、時間領域の連続な時間ユニットである、請求項４６に記載のユーザ端末。
【請求項５５】
前記第２プロセッサは、さらに、前記オフセット値および／または周期値に基づいて、ダウンリンク制御チャネルが検出受信される時間領域リソースを決定することに用いられ、
前記第２トランシーバは、さらに、前記時間領域リソースでダウンリンク制御チャネルを検出受信することに用いられる、請求項４６に記載のユーザ端末。
【請求項５６】
前記第２プロセッサは、さらに、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが検出受信される時間領域リソースを決定することに用いられる、請求項５５に記載のユーザ端末。
【請求項５７】
前記第２プロセッサは、さらに、式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが検出受信される時間領域リソースを決定することに用いられる、請求項５５に記載のユーザ端末。
【請求項５８】
前記第２プロセッサは、さらに、式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが検出受信される時間領域リソースを決定することに用いられる、請求項５５に記載のユーザ端末。
【請求項５９】
メモリと、プロセッサと、トランシーバと、メモリに記憶されてプロセッサで実行可能なコンピュータプログラムを含む基地局において、
前記プロセッサは、前記プログラムを実行すると、請求項１〜１５のいずれか一項に記載のダウンリンク制御チャネル送信方法のステップを実現する、基地局。
【請求項６０】
メモリと、プロセッサと、トランシーバと、メモリに記憶されてプロセッサで実行可能なコンピュータプログラムを含むユーザ端末において、
前記プロセッサは、前記プログラムを実行すると、請求項１６〜２９のいずれか一項に記載のダウンリンク制御チャネル検出受信方法のステップを実現する、ユーザ端末。
【請求項６１】
コンピュータプログラムが記憶されているコンピュータ読み取り可能な記憶媒体であって、
当該プログラムがプロセッサによって実行されると、請求項１〜１５のいずれか一項に記載のダウンリンク制御チャネル送信方法のステップが実現され、または、請求項１６〜２９のいずれか一項に記載のダウンリンク制御チャネル検出受信方法のステップが実現される、コンピュータ読み取り可能な記憶媒体。
【発明の詳細な説明】
【技術分野】
【０００１】
本願は、２０１７年１０月２６日に中国特許庁に提出された中国特許出願２０１７１１０１５１５７．１の優先権、および、２０１７年１１月１７日に中国特許庁に提出された中国特許出願２０１７１１１４７６１０．４の優先権を主張し、その全ての内容が援用によりここに取り込まれる。
本開示は、通信技術分野に係り、特にダウンリンク制御チャネル送信方法、ダウンリンク制御チャネル検出受信方法および機器に係る。
【背景技術】
【０００２】
関連技術のＬＴＥ（登録商標）（Ｌｏｎｇ  Ｔｅｒｍ  Ｅｖｏｌｕｔｉｏｎ）システムにおいて、ＴＴＩ（Ｔｒａｎｓｍｉｓｓｉｏｎ  Ｔｉｍｅ  Ｉｎｔｅｒｖａｌ）の長さは、１ミリ秒（ｍｓ）に固定され、かつ１つまたは複数のＰＤＣＣＨ（Ｐｈｙｓｉｃａｌ  Ｄｏｗｎｌｉｎｋ  Ｃｏｎｔｒｏｌ  Ｃｈａｎｎｅｌ）は、各ＴＴＩの前からＮ個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで伝送され、または、データ領域の１つのＰＲＢ  ｐａｉｒで伝送され、または、複数の連続または非連続なサブフレームで伝送される。ＵＥ（Ｕｓｅｒ  Ｅｑｕｉｐｍｅｎｔ）は、所望の情報に基づいて、各ｎｏｎ−ＤＲＸサブフレームのＣＳＳ（Ｃｏｍｍｏｎ  Ｓｅａｒｃｈ  Ｓｐａｃｅ）またはＵＳＳ（ＵＥ−ｓｐｅｃｉｆｉｃ  Ｓｅａｒｃｈ  Ｓｐａｃｅ）で自身のＰＤＣＣＨのブラインド検出を行う。
【０００３】
将来の移動通信システムにおいて、サービスの異なる種類に応じて、ダウンリンク制御チャネルを異なる時間間隔で伝送する必要があり、たとえば、各スロット（ｓｌｏｔ）で一回伝送しまたはＮ個のｓｌｏｔ毎に一回伝送する。また、各ｓｌｏｔの時間領域の長さは、サブキャリア間隔の相違によって異なる。
【０００４】
しかし、現在、端末によるダウンリンク制御チャネル監視のｓｌｏｔ決定について、明確な解決策がない。
【発明の概要】
【発明が解決しようとする課題】
【０００５】
上記の技術課題に鑑み、本開示の実施例は、ダウンリンク制御チャネル送信方法、ダウンリンク制御チャネル検出受信方法および機器を提供することによって、端末によるダウンリンク制御チャネル監視の時間周波数リソース決定策がないという関連技術の問題を解決する。
【課題を解決するための手段】
【０００６】
第１方面において、基地局に応用されるダウンリンク制御チャネル送信方法を提供する。当該方法において、ダウンリンク制御チャネルブラインド検出周期パラメータを決定することと、前記ダウンリンク制御チャネルブラインド検出周期パラメータに基づいてダウンリンク制御チャネルを送信することとを含む。
【０００７】
選択可能に、前記ダウンリンク制御チャネルブラインド検出周期パラメータは、少なくともオフセット値および／または周期値を含む。ここで、前記オフセット値は、端末によるダウンリンク制御チャネルの検出受信が必要な時間領域リソースの、所定の時間領域範囲内のオフセットを示す。前記周期値は、端末によるダウンリンク制御チャネルの検出受信の周期を示す。前記オフセット値と前記周期値の単位は、前記時間領域リソースに一致する。
【０００８】
選択可能に、前記ダウンリンク制御チャネルブラインド検出周期パラメータは、所定のダウンリンク制御チャネルブラインド検出周期パラメータである。
【０００９】
選択可能に、前記ダウンリンク制御チャネルブラインド検出周期パラメータは、前記基地局によって構成されたダウンリンク制御チャネルブラインド検出周期パラメータである。
【００１０】
選択可能に、前記オフセット値は、所定の時間領域範囲に含まれる最大時間領域リソース数より小さい任意の整数として構成される。
【００１１】
選択可能に、前記オフセット値は、特定のオフセット値グループから選択されるように構成される。
【００１２】
選択可能に、前記特定のオフセット値グループは、基地局によって構成され、またはプロトコルによって取り決められる。
【００１３】
選択可能に、前記周期値は、所定の周期値グループから選択されるように構成される。
【００１４】
選択可能に、前記所定の時間領域範囲は、時間領域の連続な時間ユニットである。
【００１５】
選択可能に、前記の前記ダウンリンク制御チャネルブラインド検出周期パラメータに基づいてダウンリンク制御チャネルを送信することは、前記オフセット値および／または周期値に基づいて、ダウンリンク制御チャネルが送信される時間領域リソースを決定することと、前記時間領域リソースでダウンリンク制御チャネルを送信することとを含む。
【００１６】
選択可能に、前記の前記オフセット値および周期値に基づいて、ダウンリンク制御チャネルが送信される時間領域リソースを決定することは、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳ（Ｓｕｂｃａｒｒｉｅｒ  Ｓｐａｃｉｎｇ）に対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが送信される時間領域リソースを決定することを含む。
【００１７】
選択可能に、前記の前記オフセット値に基づいて、ダウンリンク制御チャネルが送信される時間領域リソースを決定することは、式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが送信される時間領域リソースを決定することを含む。
【００１８】
選択可能に、前記の前記周期値に基づいて、ダウンリンク制御チャネルが送信される時間領域リソースを決定することは、式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが送信される時間領域リソースを決定することを含む。
【００１９】
選択可能に、前記方法において、前記ダウンリンク制御チャネルブラインド検出周期パラメータをユーザ端末に通知することをさらに含む。
【００２０】
選択可能に、前記の前記ダウンリンク制御チャネルブラインド検出周期パラメータをユーザ端末に通知することは、ハイレイヤシグナリングまたはＭＩＢ（Ｍａｓｔｅｒ  Ｉｎｆｏｒｍａｔｉｏｎ  Ｂｌｏｃｋ）情報によって、前記ダウンリンク制御チャネルブラインド検出周期パラメータを前記ユーザ端末に送信することを含む。
【００２１】
第２方面において、ユーザ端末に応用されるダウンリンク制御チャネル検出受信方法をさらに提供する。当該方法において、ダウンリンク制御チャネルブラインド検出周期パラメータを決定することと、前記ダウンリンク制御チャネルブラインド検出周期パラメータに基づいてダウンリンク制御チャネルを検出受信することとを含む。
【００２２】
選択可能に、前記ダウンリンク制御チャネルブラインド検出周期パラメータは、少なくともオフセット値および／または周期値を含む。ここで、前記オフセット値は、端末によるダウンリンク制御チャネルの検出受信が必要な時間領域リソースの、所定の時間領域範囲内のオフセットを示す。前記周期値は、端末によるダウンリンク制御チャネルの検出受信の周期を示す。前記オフセット値と前記周期値の単位は、前記時間領域リソースに一致する。
【００２３】
選択可能に、前記ダウンリンク制御チャネルブラインド検出周期パラメータは、所定のダウンリンク制御チャネルブラインド検出周期パラメータである。
【００２４】
選択可能に、前記のダウンリンク制御チャネルブラインド検出周期パラメータを決定することは、基地局によって構成されたダウンリンク制御チャネルブラインド検出周期パラメータを受信することを含む。
【００２５】
選択可能に、基地局によって構成されたダウンリンク制御チャネルブラインド検出周期パラメータを受信することは、基地局によって構成されたダウンリンク制御チャネルブラインド検出周期パラメータを含むハイレイヤシグナリングまたはＭＩＢ情報を受信することを含む。
【００２６】
選択可能に、前記オフセット値は、所定の時間領域範囲に含まれる最大時間領域リソース数より小さい任意の整数として構成される。
【００２７】
選択可能に、前記オフセット値は、特定のオフセット値グループから選択されるように構成される。
【００２８】
選択可能に、前記特定のオフセット値グループは、基地局によって構成され、またはプロトコルによって取り決められる。
【００２９】
選択可能に、前記周期値は、所定の周期値グループから選択されるように構成される。
【００３０】
選択可能に、前記所定の時間領域範囲は、時間領域の連続な時間ユニットである。
【００３１】
選択可能に、前記の前記ダウンリンク制御チャネルブラインド検出周期パラメータに基づいてダウンリンク制御チャネルを検出受信することは、前記オフセット値および／または周期値に基づいて、ダウンリンク制御チャネルが検出受信される時間領域リソースを決定することと、前記時間領域リソースでダウンリンク制御チャネルを検出受信することとを含む。
【００３２】
選択可能に、前記の前記オフセット値および周期値に基づいて、ダウンリンク制御チャネルが検出受信される時間領域リソースを決定することは、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが検出受信される時間領域リソースを決定することを含む。
【００３３】
選択可能に、前記の前記オフセット値に基づいて、ダウンリンク制御チャネルが検出受信される時間領域リソースを決定することは、式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが検出受信される時間領域リソースを決定することを含む。
【００３４】
選択可能に、前記の前記周期値に基づいて、ダウンリンク制御チャネルが検出受信される時間領域リソースを決定することは、式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが検出受信される時間領域リソースを決定することを含む。
【００３５】
第３方面において、ダウンリンク制御チャネルブラインド検出周期パラメータを決定するための第１プロセッサと、前記ダウンリンク制御チャネルブラインド検出周期パラメータに基づいてダウンリンク制御チャネルを送信するための第１トランシーバとを含む、基地局をさらに提供する。
【００３６】
選択可能に、前記ダウンリンク制御チャネルブラインド検出周期パラメータは、少なくともオフセット値および／または周期値を含む。ここで、前記オフセット値は、端末によるダウンリンク制御チャネルの検出受信が必要な時間領域リソースの、所定の時間領域範囲内のオフセットを示す。前記周期値は、端末によるダウンリンク制御チャネルの検出受信の周期を示す。前記オフセット値と前記周期値の単位は、前記時間領域リソースに一致する。
【００３７】
選択可能に、前記ダウンリンク制御チャネルブラインド検出周期パラメータは、所定のダウンリンク制御チャネルブラインド検出周期パラメータである。
【００３８】
選択可能に、前記ダウンリンク制御チャネルブラインド検出周期パラメータは、前記基地局によって構成されたダウンリンク制御チャネルブラインド検出周期パラメータである。
【００３９】
選択可能に、前記オフセット値は、所定の時間領域範囲に含まれる最大時間領域リソース数より小さい任意の整数として構成される。
【００４０】
選択可能に、前記オフセット値は、特定のオフセット値グループから選択されるように構成される。
【００４１】
選択可能に、前記特定のオフセット値グループは、基地局によって構成され、またはプロトコルによって取り決められる。
【００４２】
選択可能に、前記周期値は、所定の周期値グループから選択されるように構成される。
【００４３】
選択可能に、前記所定の時間領域範囲は、時間領域の連続な時間ユニットである。
【００４４】
選択可能に、前記第１プロセッサは、さらに、前記オフセット値および／または周期値に基づいて、ダウンリンク制御チャネルが送信される時間領域リソースを決定することに用いられ、前記第１トランシーバは、さらに、前記時間領域リソースでダウンリンク制御チャネルを送信することに用いられる。
【００４５】
選択可能に、前記第１プロセッサは、さらに、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳ（Ｓｕｂｃａｒｒｉｅｒ  Ｓｐａｃｉｎｇ）に対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが送信される時間領域リソースを決定することに用いられる。
【００４６】
選択可能に、前記第１プロセッサは、さらに、式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが送信される時間領域リソースを決定することに用いられる。
【００４７】
選択可能に、前記第１プロセッサは、さらに、式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが送信される時間領域リソースを決定することを含む。
【００４８】
選択可能に、前記第１トランシーバは、さらに、前記ダウンリンク制御チャネルブラインド検出周期パラメータをユーザ端末に通知することに用いられる。
【００４９】
選択可能に、前記第１トランシーバは、さらに、ハイレイヤシグナリングまたはＭＩＢ情報によって、前記ダウンリンク制御チャネルブラインド検出周期パラメータを前記ユーザ端末に送信することに用いられる。
【００５０】
第４方面において、ダウンリンク制御チャネルブラインド検出周期パラメータを決定するための第２プロセッサと、前記ダウンリンク制御チャネルブラインド検出周期パラメータに基づいてダウンリンク制御チャネルを検出受信するための第２トランシーバとを含む、ユーザ端末をさらに提供する。
【００５１】
選択可能に、前記ダウンリンク制御チャネルブラインド検出周期パラメータは、少なくともオフセット値および／または周期値を含む。ここで、前記オフセット値は、端末によるダウンリンク制御チャネルの検出受信が必要な時間領域リソースの、所定の時間領域範囲内のオフセットを示す。前記周期値は、端末によるダウンリンク制御チャネルの検出受信の周期を示す。前記オフセット値と前記周期値の単位は、前記時間領域リソースに一致する。
【００５２】
選択可能に、前記ダウンリンク制御チャネルブラインド検出周期パラメータは、所定のダウンリンク制御チャネルブラインド検出周期パラメータである。
【００５３】
選択可能に、前記第２トランシーバは、さらに、基地局によって構成されたダウンリンク制御チャネルブラインド検出周期パラメータを受信することに用いられる。
【００５４】
選択可能に、前記第２トランシーバは、さらに、基地局によって構成されたダウンリンク制御チャネルブラインド検出周期パラメータを含むハイレイヤシグナリングまたはＭＩＢ情報を受信することに用いられる。
【００５５】
選択可能に、前記オフセット値は、所定の時間領域範囲に含まれる最大時間領域リソース数より小さい任意の整数として構成される。
【００５６】
選択可能に、前記オフセット値は、特定のオフセット値グループから選択されるように構成される。
【００５７】
選択可能に、前記特定のオフセット値グループは、基地局によって構成され、またはプロトコルによって取り決められる。
【００５８】
選択可能に、前記周期値は、所定の周期値グループから選択されるように構成される。
【００５９】
選択可能に、前記所定の時間領域範囲は、時間領域の連続な時間ユニットである。
【００６０】
選択可能に、前記第２プロセッサは、さらに、前記オフセット値および／または周期値に基づいて、ダウンリンク制御チャネルが検出受信される時間領域リソースを決定することに用いられ、前記第２トランシーバは、さらに、前記時間領域リソースでダウンリンク制御チャネルを検出受信することに用いられる。
【００６１】
選択可能に、前記第２プロセッサは、さらに、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが検出受信される時間領域リソースを決定することに用いられる。
【００６２】
選択可能に、前記第２プロセッサは、さらに、式（Ｗ×ｎｆ×２ｋ＋ｎｓ−Ｔｏｆｆｓｅｔ）＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値。）によって、ダウンリンク制御チャネルが検出受信される時間領域リソースを決定することに用いられる。
【００６３】
選択可能に、前記第２プロセッサは、さらに、式（Ｗ×ｎｆ×２ｋ＋ｎｓ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｐｅｒｉｏｄ：周期値。）によって、ダウンリンク制御チャネルが検出受信される時間領域リソースを決定することに用いられる。
【００６４】
第５方面において、メモリと、プロセッサと、トランシーバと、メモリに記憶されてプロセッサで実行可能なコンピュータプログラムを含む基地局をさらに提供する。前記プロセッサは、前記プログラムを実行すると、第１方面に記載のダウンリンク制御チャネル送信方法のステップを実現する。
【００６５】
第６方面において、メモリと、プロセッサと、トランシーバと、メモリに記憶されてプロセッサで実行可能なコンピュータプログラムを含むユーザ端末をさらに提供する。前記プロセッサは、前記プログラムを実行すると、第２方面に記載のダウンリンク制御チャネル検出受信方法のステップを実現する。
【００６６】
第７方面において、コンピュータプログラムが記憶されているコンピュータ読み取り可能な記憶媒体をさらに提供する。当該プログラムがプロセッサによって実行されると、第１方面に記載のダウンリンク制御チャネル送信方法のステップが実現され、または、第２方面に記載のダウンリンク制御チャネル検出受信方法のステップが実現される。
【発明の効果】
【００６７】
このように、ユーザ端末がダウンリンク制御チャネルの検出受信周期を決定することができ、システムの柔軟性を向上させ、ユーザ端末側の電気消費を減少させることができる。
【図面の簡単な説明】
【００６８】
【図１】ＬＴＥにおける無線フレーム構造タイプ１の概略図である。
【図２】ＬＴＥにおける無線フレーム構造タイプ２の概略図である。
【図３】本開示の実施例における無線通信システムのアーキテクチャ図である。
【図４】本開示の実施例におけるダウンリンク制御チャネル送信方法のフローチャートのその１である。
【図５】本開示の実施例におけるダウンリンク制御チャネル送信方法のフローチャートのその２である。
【図６】本開示の実施例におけるダウンリンク制御チャネル送信方法のフローチャートのその３である。
【図７】本開示の実施例におけるダウンリンク制御チャネル送信方法のフローチャートのその４である。
【図８】本開示の実施例で、端末によるダウンリンク制御チャネルのブラインド検出が必要な時間周波数リソースの概略図その１である。
【図９】本開示の実施例で、端末によるダウンリンク制御チャネルのブラインド検出が必要な時間周波数リソースの概略図その２である。
【図１０】本開示の実施例における基地局の構造図その１である。
【図１１】本開示の実施例におけるユーザ端末の構造図その１である。
【図１２】本開示の実施例における基地局の構造図その２である。
【図１３】本開示の実施例におけるユーザ端末の構造図その２である。
【発明を実施するための形態】
【００６９】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００７０】
本明細書において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。
【００７１】
本開示の実施例の明細書および特許請求の範囲における「第１」、「第２」などの用語は、異なる対象を区別するためのものであり、対象の特定な順番を表現するためのものではない。たとえば、第１プロセッサ、第２プロセッサは、異なるプロセッサを区別することに用いられるものであり、プロセッサの特定な順番を表現することに用いられるものではない。
【００７２】
本開示の実施例において、「例示的」または「たとえば」などの用語は、例、例証または説明とすることを示す。本開示の実施例で「例示的」または「たとえば」によって記載されるあらゆる実施例や設計案は、ほかの実施例や設計案より好適である、または、利点を有するというように解釈されるべきではない。適切に言えば、「例示的」または「たとえば」などの用語を使用することは、具体的な方式で関連概念を示すことを目的とする。
【００７３】
以下、まずいくつかの技術点を紹介する。
【００７４】
次世代の移動通信技術
移動インターネットは、従来の移動通信サービス方式を覆し、今までにない使用体験をユーザに提供し、人々の仕事や生活のさまざまな方面に大きく影響する。移動インターネットは、人類社会における情報のやり取り方式の更なるグレードアップを推し進め、拡張現実、仮想現実、３Ｄ動画、モバイルクラウドなど、より多様化するサービス体験をユーザに提供する。移動インターネットの更なる発展によって、将来、移動トラフィックの増加が千倍を超え、移動通信技術および産業の新たな改革を推し進める。一方、モノのインターネットは、人と人の通信から、人とモノ、モノとモノのスマートな相互接続まで延伸するように、移動通信のサービス範囲を拡張させ、移動通信技術をより広い業界と分野に浸透させる。将来、移動医療、車両ネットワーク、スマートホーム、工業制御、環境監視などは、モノのインターネットの応用の爆発的な増加を推し進め、膨大量の機器がネットワークにアクセスし、真の「インターネットオブエブリシングス」が実現される。同時に、超大量の機器接続および多様化するモノのインターネットサービスのために、移動通信は、新規技術に挑むことになる。
【００７５】
新しいサービスリクエストが次々と現れて多様化するにつれて、将来の移動通信システムに対し、より高いピークレート、より優れるユーザ体験レート、より小さい遅延、より高い信頼性、より高いスペクトル効率、より高いエネルギー効率など、より高い性能が求められ、より多くのユーザのアクセスおよび各種類のサービスの使用をサポートすることが必要とされる。巨大量でさまざまな端末接続および異なる種類のサービスをサポートするために、アップリンク／ダウンリンクリソースの柔軟な設定は、技術発展の大きな傾向になっている。将来のシステムリソースは、サービスに応じて異なるサブバンドに区分され、多種類のサービスリクエストを満たすには、サブバンドで異なる長さのＴＴＩが区分される。
【００７６】
関連技術におけるＬＴＥサブフレーム構造
関連技術のＬＴＥ  ＦＤＤ（Ｆｒｅｑｕｅｎｃｙ  Ｄｉｖｉｓｉｏｎ  Ｄｕｐｌｅｘｉｎｇ）システムでは、ＦＳ１（ｆｒａｍｅ  ｓｔｒｕｃｔｕｒｅ  ｔｙｐｅ  １）が用いられ、その構造が図１に示されている。ＦＤＤシステムのアップリンク／ダウンリンク伝送において、搬送波周波数が異なるものの、同一のフレーム構造が使用される。各搬送波では、長さ１０ｍｓの１つの無線フレームに１０個の１ｍｓのサブフレームが含まれ、各サブフレームが長さ０．５ｍｓの２つの時間領域リソースに分けられる。アップリンク／ダウンリンクデータ送信のＴＴＩの長さは、１ｍｓである。
【００７７】
関連技術のＬＴＥ  ＴＤＤ（Ｔｉｍｅ  Ｄｉｖｉｓｉｏｎ  Ｄｕｐｌｅｘｉｎｇ）システムでは、図２に示すＦＳ２（ｆｒａｍｅ  ｓｔｒｕｃｔｕｒｅ  ｔｙｐｅ  ２）が用いられる。ＴＤＤシステムのアップリンク／ダウンリンク伝送において、同一周波数の異なるサブフレームまたは異なる時間領域リソースが使用される。ＦＳ２では、１０ｍｓの各無線フレームが２つの５ｍｓのハーフフレームからなり、各ハーフフレームに５個の長さ１ｍｓのサブフレームが含まれる。ＦＳ２のサブフレームは、ダウンリンクサブフレーム、アップリンクサブフレームおよびスペシャルサブフレームの３種類に分けられる。各スペシャルサブフレームは、ダウンリンクパイロット、ダウンリンクサービスデータおよびダウンリンク制御シグナリングの伝送が可能なＤｗＰＴＳ（Ｄｏｗｎｌｉｎｋ  Ｐｉｌｏｔ  Ｔｉｍｅ  Ｓｌｏｔ）、信号伝送が一切行われないＧＰ（Ｇｕａｒｄ  Ｐｅｒｉｏｄ）、および、ランダムアクセスとＳＲＳ（Ｓｏｕｎｄｉｎｇ  Ｒｅｆｅｒｅｎｃｅ  Ｓｙｍｂｏｌ）のみが伝送され、アップリンクサービスまたはアップリンク制御情報の伝送ができないＵｐＰＴＳ（Ｕｐｌｉｎｋ  Ｐｉｌｏｔ  Ｔｉｍｅ  Ｓｌｏｔ）の３部分からなる。各ハーフフレームに少なくとも１つのダウンリンクサブフレーム、少なくとも１つのアップリンクサブフレームおよび最多で１つのスペシャルサブフレームを含む。ＦＳ２でサポートされる７種類のアップリンク／ダウンリンクサブフレーム構成方式は、表１に示されている。
【００７８】
【表１】
2021500817.tif 000003
【００７９】
関連技術におけるＬＴＥダウンリンク制御チャネル
３．１）ＰＤＣＣＨ
ＬＴＥシステムのＰＤＣＣＨは、スケジューリング情報およびほかの制御情報を搬送することに用いられる。各ダウンリンクサブフレームの制御エリアに複数のＰＤＣＣＨを有し、制御エリアのサイズは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって決められ、１〜４個のＯＦＤＭシンボルを占める。１つの制御チャネルの伝送は、１つのＣＣＥ（ｃｏｎｔｒｏｌ  ｃｈａｎｎｅｌ  ｅｌｅｍｅｎｔ）または複数の連続するＣＣＥを占用し、各ＣＣＥが９つのＲＥＧ（ｒｅｓｏｕｒｃｅ  ｅｌｅｍｅｎｔ  ｇｒｏｕｐ）からなり、かつＰＤＣＣＨのＣＣＥに含まれるＲＥＧは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）とＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）の搬送に用いられないＲＥＧである。ＵＥは、ｎｏｎ−ＤＲＸサブフレームでＰＤＣＣＨ候補（ｃａｎｄｉｄａｔｅ）セットを監視し、すなわち、監視すべくＤＣＩ（Ｄｏｗｎｌｉｎｋ  Ｃｏｎｔｒｏｌ  Ｉｎｆｏｒｍａｔｉｏｎ）フォーマット（ｆｏｒｍａｔ）に基づいて、検索空間における各ＰＤＣＣＨの復号を試みる。
３．２）ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）
ＰＤＣＣＨの容量を拡張させるには、Ｒｅｌ−１１においてＥＰＤＣＣＨが導入されている。ＥＰＤＣＣＨは、サブフレームのデータエリアで伝送され、ＰＤＣＣＨの伝送空間を占用できない。ＥＰＤＣＣＨが構成された端末は、各サブフレームで構成されたＰＲＢ  ｓｅｔ内でＥＰＤＣＣＨを検出受信する。
３．３）ＭＰＤＣＣＨ
ＥＭＴＣ（ｅｎｈａｎｃｅｄ  ＭＴＣ）  ＵＥは、ハイレイヤで構成された１つまたは複数のサブフレーム（ｓｕｂｆｒａｍｅ）でＭＰＤＣＣＨを検出受信する。
【００８０】
以下、図面を通じて本開示の実施例を紹介する。本開示の実施例によるダウンリンク制御チャネル送信方法、ダウンリンク制御チャネル受信方法および機器は、無線通信システムに応用可能である。当該無線通信システムは、５Ｇ（５ｔｈ  Ｇｅｎｅｒａｔｉｏｎ）移動通信技術が用いられるシステム（以下、５Ｇシステムと略称する）である。図３は、本開示の実施例による無線通信システムのアーキテクチャ図である。図３に示すように、当該無線通信システムは、ネットワーク機器３０とユーザ端末を含む。ユーザ端末は、たとえばＵＥ３１と記し、ネットワーク機器３０とは通信可能である。実際の応用において、上記各機器の間の接続は、無線接続であってもよい。各機器の間の接続関係を容易かつ直観的に示すために、図３では実線で示している。
【００８１】
なお、上記通信システムは、複数のＵＥを含んでもよく、ネットワーク機器が複数のＵＥとは通信可能である（シグナリングまたはデータを伝送する）。
【００８２】
本開示の実施例によるネットワーク機器は、基地局である。当該ネットワーク機器は、一般的に用いられる基地局であってもよく、ｅＮＢ（ｅｖｏｌｖｅｄ  ｎｏｄｅ  ｂａｓｅ  ｓｔａｔｉｏｎ）であってもよく、５Ｇシステムのネットワーク機器（たとえばｇＮＢ（ｎｅｘｔ  ｇｅｎｅｒａｔｉｏｎ  ｎｏｄｅ  ｂａｓｅ  ｓｔａｔｉｏｎ））またはＴＲＰ（ｔｒａｎｓｍｉｓｓｉｏｎ  ａｎｄ  ｒｅｃｅｐｔｉｏｎ  ｐｏｉｎｔ）などの機器であってもよい。
【００８３】
本開示の実施例によるユーザ端末は、携帯電話、タブレットパソコン、ノートパソコン、ＵＭＰＣ（Ｕｌｔｒａ−Ｍｏｂｉｌｅ  Ｐｅｒｓｏｎａｌ  Ｃｏｍｐｕｔｅｒ）、ネットブックまたはＰＤＡ（Ｐｅｒｓｏｎａｌ  Ｄｉｇｉｔａｌ  Ａｓｓｉｓｔａｎｔ）などである。
【００８４】
図４を参照する。図４には、ダウンリンク制御チャネル送信方法のフローが示されている。当該方法の実行エンティティは、基地局であり、具体的に以下のステップを含む。
【００８５】
ステップ４０１において、ダウンリンク制御チャネルブラインド検出周期パラメータを決定する。
【００８６】
上記ダウンリンク制御チャネルブラインド検出周期パラメータは、端末によるダウンリンク制御チャネルの検出受信周期を示すことに用いられる。
【００８７】
本開示の実施例において、選択可能に、ダウンリンク制御チャネルブラインド検出周期パラメータは、少なくともオフセット値および／または周期値を含む。ここで、当該オフセット値は、端末によるダウンリンク制御チャネルの検出受信が必要な時間領域リソースの、所定の時間領域範囲内のオフセットを示す。当該周期値は、端末によるダウンリンク制御チャネルの検出受信の周期を示す。ここで、オフセット値と周期値の単位は、時間領域リソースに一致する。たとえば、オフセット値と周期値の単位は、ともにｓｌｏｔである。
【００８８】
上記時間領域リソースは、ｓｌｏｔであり、または、ｓｌｏｔ単位より小さい時間周波数リソースであり、たとえばｍｉｎｉ−ｓｌｏｔであり、もちろんこれに限られない。
【００８９】
上記所定の時間領域範囲は、時間領域の連続な時間ユニットである。たとえば、時間ユニットが１０ｍｓであり、もちろんこれに限られない。
【００９０】
ステップ４０２において、ダウンリンク制御チャネルブラインド検出周期パラメータに基づいてダウンリンク制御チャネルを送信する。
【００９１】
本開示の実施例の一例において、ダウンリンク制御チャネルブラインド検出周期パラメータは、予め定義する方式で取り決められる。すなわち、当該ダウンリンク制御チャネルブラインド検出周期パラメータは、所定のダウンリンク制御チャネルブラインド検出周期パラメータである。たとえば、ダウンリンク制御チャネルブラインド検出周期パラメータをプロトコルによって取り決め、基地局が特定の時間周波数リソースでダウンリンク制御チャネルを送信する。すなわち、オフセット値と周期値は、決定されたものである。たとえば、ＲＭＳＩ（ｒｅｍａｉｎｉｎｇ  ｓｙｓｔｅｍ  ｉｎｆｏｒｍａｔｉｏｎ）をスケジューリングするダウンリンク制御チャネルの検索空間の周期は、プロトコルによる取り決め方式で決定される。
【００９２】
本開示の実施例の別の例において、ダウンリンク制御チャネルブラインド検出周期パラメータは、基地局によって構成される。すなわち、当該ダウンリンク制御チャネルブラインド検出周期パラメータは、基地局によって構成されるダウンリンク制御チャネルブラインド検出周期パラメータである。よって、基地局から、サービスの異なる種類または異なる応用シーンに応じて異なるダウンリンク制御チャネル検出受信周期をＵＥに対し構成可能であり、システムの柔軟性を増すとともに、端末の電気消費を減少する。
【００９３】
本開示の実施例において、選択可能に、基地局によって構成される場合、オフセット値は、所定の時間領域範囲に含まれる最大時間領域リソース数より小さい任意の整数として構成される。たとえば、所定の時間領域範囲にＬ個の時間領域リソースが含まれると、基地局は、Ｌより小さい任意の整数をオフセット値として構成する。当該Ｌは、１０または２０であり、もちろん、これらに限られない。
【００９４】
本開示の実施例において、選択可能に、基地局によって構成される場合、オフセット値は、特定のオフセット値グループから選択されるように構成される。さらに、特定のオフセット値グループは、基地局によって構成される。たとえば、特定のオフセット値グループは、明示的シグナリングによって構成される。または、前記特定のオフセット値グループは、プロトコルによって取り決められる。
【００９５】
本開示の実施例において、選択可能に、基地局によって構成される場合、周期値は、所定の周期値グループから選択されるように構成される。
【００９６】
本開示の実施例において、選択可能に、当該ダウンリンク制御チャネルブラインド検出周期パラメータが基地局によって構成されるダウンリンク制御チャネルブラインド検出周期パラメータであると、当該方法において、ダウンリンク制御チャネルブラインド検出周期パラメータをユーザ端末に通知することをさらに含む。たとえば、ハイレイヤシグナリング（たとえばＲＲＣ（Ｒａｄｉｏ  Ｒｅｓｏｕｒｃｅ  Ｃｏｎｔｒｏｌ）シグナリング）またはＭＩＢ情報によってダウンリンク制御チャネルブラインド検出周期パラメータをユーザ端末に送信する。
【００９７】
このように、端末がダウンリンク制御チャネルの検出受信周期を決定することができ、システムの柔軟性を増すとともに、端末側の電気消費を減少することができる。
【００９８】
図５を参照する。図５には、ダウンリンク制御チャネル送信方法のフローが示されている。当該方法の実行エンティティは、基地局であり、具体的に以下のステップを含む。
【００９９】
ステップ５０１において、ダウンリンク制御チャネルブラインド検出周期パラメータを決定する。
【０１００】
本開示の実施例において、選択可能に、ダウンリンク制御チャネルブラインド検出周期パラメータは、少なくともオフセット値および／または周期値を含む。ここで、当該オフセット値は、端末によるダウンリンク制御チャネルの検出受信が必要な時間領域リソースの、所定の時間領域範囲内のオフセットを示す。当該周期値は、端末によるダウンリンク制御チャネルの検出受信の周期を示す。ここで、オフセット値と周期値の単位は、時間領域リソースに一致する。たとえば、オフセット値と周期値の単位は、ともにスロットである。
【０１０１】
上記時間領域リソースは、ｓｌｏｔであり、または、ｓｌｏｔ単位より小さい時間周波数リソースであり、たとえばｍｉｎｉ−ｓｌｏｔであり、もちろんこれに限られない。
【０１０２】
上記所定の時間領域範囲は、時間領域の連続な時間ユニットである。たとえば、時間ユニットが１０ｍｓであり、もちろんこれに限られない。
【０１０３】
ステップ５０２において、オフセット値および／または周期値に基づいて、ダウンリンク制御チャネルが送信される時間領域リソースを決定する。
【０１０４】
たとえば、式（Ｗ×ｎｆ×２ｋ＋ｎｓ−Ｔｏｆｆｓｅｔ）ｍｏｄ  Ｔｐｅｒｉｏｄ＝０によって、ダウンリンク制御チャネルが送信される時間領域リソースを決定する。ここで、Ｗは、所定の時間領域範囲であり、たとえばＷ＝１０ｍｓであり、もちろんこれに限られない。ｎｆは、所定の時間領域範囲の番号である。ｋは、所定の時間ユニット（たとえば所定の時間ユニットが１ｍｓである）内の異なるＳＣＳに対応する時間領域リソース数である。当該ｋは、サブキャリア間隔（ｓｕｂｃａｒｒｉｅｒ  ｓｐａｃｅ）に関するパラメータである。たとえば、ｋは、｛０，１，２，３，４，５｝から値を取り、もちろんこれに限られない。ｋの取りうるセットは、将来のシステムに存在するサブキャリア間隔に基づいて決められる。ｎｓは、所定の時間領域範囲内の時間領域リソースの番号であり、たとえば
【数１】
2021500817.tif 000004
である。Ｔｏｆｆｓｅｔは、オフセット値であり、Ｔｐｅｒｉｏｄは、周期値である。
【０１０５】
さらに、ダウンリンク制御チャネルが送信される時間領域リソース位置は、オフセット値または周期値のみによって決定されてもよい。たとえば、ダウンリンク制御チャネルが送信される時間領域リソースをオフセット値のみによって決定する場合、以下の式（Ｗ×ｎｆ×２ｋ＋ｎｓ−Ｔｏｆｆｓｅｔ）＝０で決定し、基地局から各時間領域範囲内の固定の時間領域リソースで送信することを意味する。
【０１０６】
また、たとえば、ダウンリンク制御チャネルが送信される時間領域リソースを周期のみによって決定する場合、以下の式（Ｗ×ｎｆ×２ｋ＋ｎｓ）ｍｏｄ  Ｔｐｅｒｉｏｄ＝０で決定する。
【０１０７】
ステップ５０３において、時間領域リソースでダウンリンク制御チャネルを送信する。
【０１０８】
本開示の実施例の一例において、ダウンリンク制御チャネルブラインド検出周期パラメータは、予め定義する方式で取り決められる。すなわち、当該ダウンリンク制御チャネルブラインド検出周期パラメータは、所定のダウンリンク制御チャネルブラインド検出周期パラメータである。たとえば、ダウンリンク制御チャネルブラインド検出周期パラメータをプロトコルによって取り決め、基地局が特定の時間周波数リソースでダウンリンク制御チャネルを送信する。すなわち、オフセット値と周期値は、決定されたものである。たとえば、ＲＭＳＩ（ｒｅｍａｉｎｉｎｇ  ｓｙｓｔｅｍ  ｉｎｆｏｒｍａｔｉｏｎ）をスケジューリングするダウンリンク制御チャネルの検索空間の周期は、プロトコルによる取り決め方式で決定される。
【０１０９】
本開示の実施例の別の例において、ダウンリンク制御チャネルブラインド検出周期パラメータは、基地局によって構成される。すなわち、当該ダウンリンク制御チャネルブラインド検出周期パラメータは、基地局によって構成されるダウンリンク制御チャネルブラインド検出周期パラメータである。
【０１１０】
本開示の実施例において、選択可能に、基地局によって構成される場合、オフセット値は、所定の時間領域範囲に含まれる最大時間領域リソース数より小さい任意の整数として構成される。たとえば、所定の時間領域範囲にＬ個の時間領域リソースが含まれると、基地局は、Ｌより小さい任意の整数をオフセット値として構成する。当該Ｌは、１０または２０であり、もちろんこれらに限られない。
【０１１１】
本開示の実施例において、選択可能に、基地局によって構成される場合、オフセット値は、特定のオフセット値グループから選択されるように構成される。さらに、特定のオフセット値グループは、基地局によって構成される。または、前記特定のオフセット値グループは、プロトコルによって取り決められる。
【０１１２】
本開示の実施例において、選択可能に、基地局によって構成される場合、周期値は、所定の周期値グループから選択されるように構成される。
【０１１３】
本開示の実施例において、選択可能に、方法では、前記ダウンリンク制御チャネルブラインド検出周期パラメータをユーザ端末に通知することをさらに含む。たとえば、ハイレイヤシグナリング（たとえばＲＲＣシグナリング）またはＭＩＢ情報によってダウンリンク制御チャネルブラインド検出周期パラメータを前記ユーザ端末に送信する。
【０１１４】
このように、端末がダウンリンク制御チャネルの検出受信周期を決定することができ、システムの柔軟性を増すとともに、端末側の電気消費を減少することができる。
【０１１５】
図６を参照する。図６には、ダウンリンク制御チャネル検出受信方法のフローが示されている。当該方法の実行エンティティは、ユーザ端末であり、具体的に以下のステップを含む。
【０１１６】
ステップ６０１において、ダウンリンク制御チャネルブラインド検出周期パラメータを決定する。
【０１１７】
本開示の実施例において、選択可能に、ダウンリンク制御チャネルブラインド検出周期パラメータは、少なくともオフセット値および／または周期値を含む。ここで、当該オフセット値は、端末によるダウンリンク制御チャネルの検出受信が必要な時間領域リソースの、所定の時間領域範囲内のオフセットを示す。当該周期値は、端末によるダウンリンク制御チャネルの検出受信の周期を示す。ここで、オフセット値と周期値の単位は、時間領域リソースに一致する。たとえば、オフセット値と周期値の単位は、ともにｓｌｏｔである。
【０１１８】
上記時間領域リソースは、ｓｌｏｔであり、または、ｓｌｏｔ単位より小さい時間周波数リソースであり、たとえばｍｉｎｉ−ｓｌｏｔであり、もちろんこれに限られない。
【０１１９】
ステップ６０２において、ダウンリンク制御チャネルブラインド検出周期パラメータに基づいてダウンリンク制御チャネルを検出受信する。
【０１２０】
本開示の実施例の一例において、ダウンリンク制御チャネルブラインド検出周期パラメータは、所定のダウンリンク制御チャネルブラインド検出周期パラメータである。たとえば、ダウンリンク制御チャネルブラインド検出周期パラメータをプロトコルによって取り決め、基地局が特定の時間周波数リソースでダウンリンク制御チャネルを送信する。すなわち、オフセット値と周期値は、決定されたものである。たとえば、ＲＭＳＩをスケジューリングするダウンリンク制御チャネルの検索空間の周期は、プロトコルによる取り決め方式で決定される。
【０１２１】
本開示の実施例の別の例において、基地局によって構成されるダウンリンク制御チャネルブラインド検出周期パラメータを受信する。たとえば、ハイレイヤシグナリング（たとえばＲＲＣシグナリング）またはＭＩＢ情報を受信する。前記ハイレイヤシグナリングまたはＭＩＢ情報は、基地局によって構成されるダウンリンク制御チャネルブラインド検出周期パラメータを含む。
【０１２２】
すなわち、当該ダウンリンク制御チャネルブラインド検出周期パラメータは、基地局によって構成されるダウンリンク制御チャネルブラインド検出周期パラメータである。よって、基地局から、サービスの異なる種類または異なる応用シーンに応じて異なるダウンリンク制御チャネル検出受信周期をＵＥに対し構成可能であり、システムの柔軟性を増すとともに、端末の電気消費を減少する。
【０１２３】
本開示の実施例において、選択可能に、基地局によって構成される場合、オフセット値は、所定の時間領域範囲に含まれる最大時間領域リソース数より小さい任意の整数として構成される。たとえば、所定の時間領域範囲にＬ個の時間領域リソースが含まれると、基地局は、Ｌより小さい任意の整数をオフセット値として構成する。当該Ｌは、１０または２０であり、もちろんこれらに限られない。
【０１２４】
本開示の実施例において、選択可能に、基地局によって構成される場合、オフセット値は、特定のオフセット値グループから選択されるように構成される。さらに、特定のオフセット値グループは、基地局によって構成される。または、前記特定のオフセット値グループは、プロトコルによって取り決められる。
【０１２５】
本開示の実施例において、選択可能に、基地局によって構成される場合、周期値は、所定の周期値グループから選択されるように構成される。
【０１２６】
このように、端末がダウンリンク制御チャネルの検出受信周期を決定することができ、システムの柔軟性を増すとともに、端末側の電気消費を減少することができる。
【０１２７】
図７を参照する。図７には、ダウンリンク制御チャネル検出受信方法のフローが示されている。当該方法の実行エンティティは、ユーザ端末であり、具体的に以下のステップを含む。
【０１２８】
ステップ７０１において、ダウンリンク制御チャネルブラインド検出周期パラメータを決定する。
【０１２９】
本開示の実施例において、選択可能に、ダウンリンク制御チャネルブラインド検出周期パラメータは、少なくともオフセット値および／または周期値を含む。ここで、当該オフセット値は、端末によるダウンリンク制御チャネルの検出受信が必要な時間領域リソースの、所定の時間領域範囲内のオフセットを示す。当該周期値は、端末によるダウンリンク制御チャネルの検出受信の周期を示す。ここでオフセット値と周期値の単位は、時間領域リソースに一致する。たとえば、オフセット値と周期値の単位は、ともにｓｌｏｔである。
【０１３０】
上記時間領域リソースは、ｓｌｏｔであり、または、ｓｌｏｔ単位より小さい時間周波数リソースであり、たとえばｍｉｎｉ−ｓｌｏｔであり、もちろんこれに限られない。
【０１３１】
ステップ７０２において、オフセット値および／または周期値に基づいて、ダウンリンク制御チャネルが検出受信される時間領域リソースを決定する。
【０１３２】
たとえば、式（Ｗ×ｎｆ×２ｋ＋ｎｓ−Ｔｏｆｆｓｅｔ）ｍｏｄ  Ｔｐｅｒｉｏｄ＝０によって、ダウンリンク制御チャネルが送信される時間領域リソースを決定する。ここで、Ｗは、所定の時間領域範囲であり、たとえばＷ＝１０ｍｓであり、もちろん、これに限られない。ｎｆは、所定の時間領域範囲の番号である。ｋは、所定の時間ユニット（たとえば所定の時間ユニットが１ｍｓである）内の異なるＳＣＳに対応する時間領域リソース数である。当該ｋは、サブキャリア間隔（ｓｕｂｃａｒｒｉｅｒ  ｓｐａｃｅ）に関するパラメータである。たとえば、ｋは、｛０，１，２，３，４，５｝から値を取り、もちろんこれに限られない。ｋの取りうるセットは、将来のシステムに存在するサブキャリア間隔に基づいて決められる。ｎｓは、所定の時間領域範囲内の時間領域リソースの番号であり、たとえば
【数２】
2021500817.tif 000005
である。Ｔｏｆｆｓｅｔは、オフセット値であり、Ｔｐｅｒｉｏｄは、周期値である。
【０１３３】
さらに、ダウンリンク制御チャネルが検出受信される時間領域リソースは、オフセット値または周期値のみによって決定されてもよい。たとえば、ダウンリンク制御チャネルが検出受信される時間領域リソースをオフセット値のみによって決定する場合、以下の式（Ｗ×ｎｆ×２ｋ＋ｎｓ−Ｔｏｆｆｓｅｔ）＝０で決定し、ユーザ端末が各時間領域範囲内の固定の時間領域リソースでダウンリンク制御チャネルを検出受信することを意味する。
【０１３４】
また、たとえば、ダウンリンク制御チャネルが検出受信される時間領域リソースを周期のみによって決定する場合、以下の式（Ｗ×ｎｆ×２ｋ＋ｎｓ）ｍｏｄ  Ｔｐｅｒｉｏｄ＝０で決定する。
【０１３５】
ステップ７０３において、時間領域リソースでダウンリンク制御チャネルを検出受信する。
【０１３６】
本開示の実施例の一例において、ダウンリンク制御チャネルブラインド検出周期パラメータは、所定のダウンリンク制御チャネルブラインド検出周期パラメータである。たとえば、ダウンリンク制御チャネルブラインド検出周期パラメータをプロトコルによって取り決め、基地局が特定の時間周波数リソースでダウンリンク制御チャネルを送信する。すなわち、オフセット値と周期値は、決定されたものである。たとえば、ＲＭＳＩをスケジューリングするダウンリンク制御チャネルの検索空間の周期は、プロトコルによる取り決め方式で決定される。
【０１３７】
本開示の実施例の別の例において、基地局によって構成されるダウンリンク制御チャネルブラインド検出周期パラメータを受信する。たとえば、ハイレイヤシグナリング（たとえばＲＲＣシグナリング）またはＭＩＢ情報を受信する。前記ハイレイヤシグナリングまたはＭＩＢ情報は、基地局によって構成されるダウンリンク制御チャネルブラインド検出周期パラメータを含む。
【０１３８】
すなわち、当該ダウンリンク制御チャネルブラインド検出周期パラメータは、基地局によって構成されるダウンリンク制御チャネルブラインド検出周期パラメータである。よって、基地局から、サービスの異なる種類または異なる応用シーンに応じて異なるダウンリンク制御チャネル検出受信周期をＵＥに対し構成可能であり、システムの柔軟性を増すとともに、端末の電気消費を減少する。
【０１３９】
本開示の実施例において、選択可能に、基地局によって構成される場合、オフセット値は、所定の時間領域範囲に含まれる最大時間領域リソース数より小さい任意の整数として構成される。たとえば、所定の時間領域範囲にＬ個の時間領域リソースが含まれると、基地局は、Ｌより小さい任意の整数をオフセット値として構成する。当該Ｌは、１０または２０であり、もちろん、これらに限られない。
【０１４０】
本開示の実施例において、選択可能に、基地局によって構成される場合、オフセット値は、特定のオフセット値グループから選択されるように構成される。さらに、特定のオフセット値グループは、基地局によって構成される。または、前記特定のオフセット値グループは、プロトコルによって取り決められる。
【０１４１】
本開示の実施例において、選択可能に、基地局によって構成される場合、周期値は、所定の周期値グループから選択されるように構成される。
【０１４２】
このように、端末がダウンリンク制御チャネルの検出受信周期を決定することができ、システムの柔軟性を増すとともに、端末側の電気消費を減少することができる。
【０１４３】
実施例１
基地局からＵＥに対し、１つの無線フレーム（ｒａｄｉｏ  ｆｒａｍｅ）（すなわち１０ｍｓ）内で、ダウンリンク制御チャネルのブラインド検出が必要な時間領域リソース番号の関連パラメータを構成するとする。
【０１４４】
１つの時間領域範囲、すなわち１つのｒａｄｉｏ  ｆｒａｍｅ内のサブキャリア間隔を１５ｋＨＺとすると、サブキャリア間隔との関連性を示すためのパラメータｋは、０に等しく、すなわち１つの時間領域リソースの時間領域の長さが１ｍｓである。
【０１４５】
基地局からＵＥのＵＥ−ｓｐｅｃｉｆｉｃ  ＰＤＣＣＨに対し構成する関連パラメータとして、オフセット値Ｔｏｆｆｓｅｔ＝０であり、周期値Ｔｐｅｒｉｏｄ＝２である。当該オフセット値と周期値の単位は、ともに時間領域リソースの単位である。すると、ＵＥは、以下の式によって、１つの時間領域範囲、すなわち１つのｒａｄｉｏ  ｆｒａｍｅでダウンリンク制御チャネルの検出受信が必要な時間領域リソース位置を決定する。たとえば、基地局によってＴｏｆｆｓｅｔを構成する場合、１０より小さい任意の整数としてＴｏｆｆｓｅｔを構成し、または、特定のオフセット値（ｏｆｆｓｅｔ  ｖａｌｕｅ）グループから選択するようにＴｏｆｆｓｅｔを構成し、たとえば１つのｏｆｆｓｅｔ  ｖａｌｕｅグループは、｛０，２，４，８｝である。
【０１４６】
ＵＥは、ハイレイヤシグナリングを受信し、たとえばＲＲＣシグナリング（ＲＲＣ  ｓｉｇｎａｌｉｎｇ）を受信する。当該ハイレイヤシグナリングには、基地局によって構成され、ダウンリンク制御チャネルのブラインド検出が必要な時間領域リソース番号の関連パラメータとしてのＴｏｆｆｓｅｔ＝０、Ｔｐｅｒｉｏｄ＝２が付帯されている。ＵＥは、以下の式によって、ダウンリンク制御チャネルの検出受信が必要な時間領域リソースの番号を決定する。
（１０×ｎｆ×２ｋ＋ｎｓ−Ｔｏｆｆｓｅｔ）ｍｏｄ  Ｔｐｅｒｉｏｄ＝０
【０１４７】
一つ目のｒａｄｉｏ  ｆｒａｍｅでは、ｎｆ＝０であり、上記式を満たす時間領域リソースの番号は、０、２、４、６、８である。ＵＥは、時間領域リソース＃０、時間領域リソース＃２、時間領域リソース＃４、時間領域リソース＃６、時間領域リソース＃８でダウンリンク制御チャネルを検出受信する必要がある。
【０１４８】
２つ目のｒａｄｉｏ  ｆｒａｍｅでは、ｎｆ＝１であり、上記式を満たす時間領域リソースの番号は、０、２、４、６、８である。ＵＥは、時間領域リソース＃０、時間領域リソース＃２、時間領域リソース＃４、ｓｌｏｔ＃６、ｓｌｏｔ＃８でダウンリンク制御チャネルを検出受信する必要がある。図８を参照する。
【０１４９】
このように類推する。
【０１５０】
なお、上記時間領域リソースは、ｓｌｏｔであり、または、ｓｌｏｔ単位より小さい時間周波数リソースであり、たとえばｍｉｎｉ−ｓｌｏｔであり、本開示の実施例では限定しない。
【０１５１】
実施例２
基地局からＵＥに対し、１つのｒａｄｉｏ  ｆｒａｍｅ（すなわち１０ｍｓ）内で、ダウンリンク制御チャネルのブラインド検出が必要な時間領域リソース番号の関連パラメータを構成するとする。
【０１５２】
１つの時間領域範囲（すなわち１つのｒａｄｉｏ  ｆｒａｍｅ）内のサブキャリア間隔を３０ｋＨＺとすると、サブキャリア間隔との関連性を示すためのパラメータは、１に等しく、すなわち１つの時間領域リソースの時間領域の長さが０．５ｍｓである。
【０１５３】
基地局からＵＥのＵＥ−ｓｐｅｃｉｆｉｃ  ＰＤＣＣＨに対し構成する関連パラメータとして、オフセット値Ｔｏｆｆｓｅｔ＝２であり、周期値Ｔｐｅｒｉｏｄ＝４である。当該オフセット値と周期値の単位は、ともに時間領域リソースの単位である。すると、端末は、以下の式によって、１つの時間領域範囲、すなわち１つのｒａｄｉｏ  ｆｒａｍｅでダウンリンク制御チャネルの検出受信が必要な時間領域リソース位置を決定する。たとえば、基地局によってＴｏｆｆｓｅｔを構成する場合、２０より小さい任意の整数としてＴｏｆｆｓｅｔを構成し、または、予め定義されているｏｆｆｓｅｔ  ｖａｌｕｅグループから選択するようにＴｏｆｆｓｅｔを構成し、たとえば１つのｏｆｆｓｅｔ  ｖａｌｕｅグループは、｛０，２，４，８，１０，１２，１４，１６，１８｝である。
【０１５４】
ＵＥは、ハイレイヤシグナリングを受信し、たとえばＲＲＣ  ｓｉｇｎａｌｉｎｇを受信する。当該ハイレイヤシグナリングには、基地局によって構成され、ダウンリンク制御チャネルのブラインド検出が必要な時間領域リソース番号の関連パラメータとしてのＴｏｆｆｓｅｔ＝２、Ｔｐｅｒｉｏｄ＝４が付帯されている。
【０１５５】
ＵＥは、以下の式によって、ダウンリンク制御チャネルの検出受信が必要な時間領域リソースの番号を決定する。
（１０×ｎｆ×２ｋ＋ｎｓ−Ｔｏｆｆｓｅｔ）ｍｏｄ  Ｔｐｅｒｉｏｄ＝０
【０１５６】
一つ目のｒａｄｉｏ  ｆｒａｍｅでは、ｎｆ＝０であり、上記式を満たす時間領域リソースの番号は、２、６、１０、１４、１８である。ＵＥは、時間領域リソース＃０、時間領域リソース＃２、時間領域リソース＃６、時間領域リソース＃１０、時間領域リソース＃１４、時間領域リソース＃１８でダウンリンク制御チャネルを検出受信する必要がある。図９を参照する。
【０１５７】
このように類推する。
【０１５８】
なお、上記時間領域リソースは、ｓｌｏｔであり、または、ｓｌｏｔ単位より小さい時間周波数リソースであり、たとえばｍｉｎｉ−ｓｌｏｔであり、本開示の実施例では限定しない。
【０１５９】
実施例３
共通ダウンリンク制御チャネルについて、たとえばＲＭＳＩ伝送をスケジューリングするダウンリンク制御チャネルの場合、ＵＥによるダウンリンク制御チャネル検出受信の関連パラメータは、プロトコルによって予め定義する方式で決定される。たとえば、オフセット値Ｔｏｆｆｓｅｔと周期値Ｔｐｅｒｉｏｄは、プロトコルによって予め定義されている固定値を取る。ＵＥは、当該プロトコルによって予め定義された固定値に基づき、ダウンリンク制御チャネルの検出受信が行われる時間領域リソースを決定する必要がある。
【０１６０】
なお、上記時間領域リソースは、ｓｌｏｔであり、または、ｓｌｏｔ単位より小さい時間周波数リソースであり、たとえばｍｉｎｉ−ｓｌｏｔであり、本開示の実施例では限定しない。
【０１６１】
実施例４
共通ダウンリンク制御チャネルについて、たとえばＲＭＳＩ伝送をスケジューリングするダウンリンク制御チャネルの場合、ＵＥによるダウンリンク制御チャネル検出受信の関連パラメータは、ＰＢＣＨ（Ｐｈｙｓｉｃａｌ  Ｂｒｏａｄｃａｓｔ  Ｃｈａｎｎｅｌ）によって付帯されるＭＩＢ情報によって端末に通知される。たとえば、ＭＩＢ情報では、オフセット値Ｔｏｆｆｓｅｔと周期値Ｔｐｅｒｉｏｄの値をそれぞれ指示する。
【０１６２】
たとえば、ＴｏｆｆｓｅｔにＮ個の取りうる値があり、ＴｐｅｒｉｏｄにＭ個の取りうる値があると、ＭＩＢ情報は、ｃｅｉｌ（ｌｏｇ２（Ｎ））ビットでＴｏｆｆｓｅｔの値を指示し、ｃｅｉｌ（ｌｏｇ２（Ｍ））ビットでＴｐｅｒｉｏｄの値を指示する。
【０１６３】
または、ＭＩＢ情報は、ＴｏｆｆｓｅｔとＴｐｅｒｉｏｄの値の組み合わせを指示する。以下の表のように、たとえばＭＩＢ情報では対応する指示ビットが００であると、Ｔｏｆｆｓｅｔ＝Ｎ１、Ｔｐｅｒｉｏｄ＝Ｍ１になる。もちろん、本開示の実施例では、具体的な組み合わせの数値を限定しない。
【０１６４】
【表２】
2021500817.tif 000006
【０１６５】
ＴｏｆｆｓｅｔとＴｐｅｒｉｏｄの値を決定すると、端末は、上記実施例１または実施例２における式に基づき、ＲＭＳＩをスケジューリングするＰＤＣＣＨの検出受信が必要な時間領域リソースを決定する。
【０１６６】
なお、上記時間領域リソースは、ｓｌｏｔであり、または、ｓｌｏｔ単位より小さい時間周波数リソースであり、たとえばｍｉｎｉ−ｓｌｏｔであり、本開示の実施例では限定しない。
【０１６７】
実施例５
実施例４の方式は、実施例１および実施例２のダウンリンク制御チャネルおよび指示シグナリングに応用可能であり、本開示の実施例ではいっさい限定しない。
【０１６８】
なお、本開示の実施例の紹介は、上記実施例１および実施例２に記載した内容を参照し、ここでは繰り返して記載しない。
【０１６９】
実施例６
ＵＥは、ｐｒｅ−ｅｍｐｔｉｏｎ  ｉｎｄｉｃａｔｉｏｎ情報が搬送されるｇｒｏｕｐ  ｃｏｍｍｏｎ  ＰＤＣＣＨの検出受信が必要であるとする。ＵＥは、実施例１〜５のうちの１つまたは複数の方法によって、当該ｐｒｅ−ｅｍｐｔｉｏｎ  ｉｎｄｉｃａｔｉｏｎ情報が搬送されるｇｒｏｕｐ  ｃｏｍｍｏｎ  ＰＤＣＣＨが検出受信されるｓｌｏｔ位置またはｍｉｎｉ−ｓｌｏｔ位置を決定する。もちろん、Ｔｐｅｒｉｏｄは、ほかのダウンリンク制御チャネル検出周期とは異なる値を取ってもよく、選択可能に、基地局側の構成によって決められる。
【０１７０】
本開示の実施例において、基地局をさらに提供する。基地局は、問題を解決する原理が本開示の実施例におけるダウンリンク制御チャネル送信方法に似ているため、当該基地局の実施例について方法の実施を参照し、重複なところを繰り返して記載しない。
【０１７１】
図１０を参照する。図１０には、基地局の構造が示されている。当該基地局１０００は、ダウンリンク制御チャネルブラインド検出周期パラメータを決定するための第１プロセッサ１００１と、前記ダウンリンク制御チャネルブラインド検出周期パラメータに基づいてダウンリンク制御チャネルを送信するための第１トランシーバ１００２とを含む。
【０１７２】
本開示の実施例において、選択可能に、前記ダウンリンク制御チャネルブラインド検出周期パラメータは、少なくともオフセット値および／または周期値を含む。ここで、前記オフセット値は、端末によるダウンリンク制御チャネルの検出受信が必要な時間領域リソースの、所定の時間領域範囲内のオフセットを示す。前記周期値は、端末によるダウンリンク制御チャネルの検出受信の周期を示す。前記オフセット値と前記周期値の単位は、前記時間領域リソースに一致する。
【０１７３】
本開示の実施例において、選択可能に、前記ダウンリンク制御チャネルブラインド検出周期パラメータは、所定のダウンリンク制御チャネルブラインド検出周期パラメータである。
【０１７４】
本開示の実施例において、選択可能に、前記ダウンリンク制御チャネルブラインド検出周期パラメータは、前記基地局によって構成されたダウンリンク制御チャネルブラインド検出周期パラメータである。
【０１７５】
本開示の実施例において、選択可能に、前記オフセット値は、所定の時間領域範囲に含まれる最大時間領域リソース数より小さい任意の整数として構成される。
【０１７６】
本開示の実施例において、選択可能に、前記オフセット値は、特定のオフセット値グループから選択されるように構成される。
【０１７７】
本開示の実施例において、選択可能に、前記特定のオフセット値グループは、基地局によって構成され、またはプロトコルによって取り決められる。
【０１７８】
本開示の実施例において、選択可能に、前記周期値は、所定の周期値グループから選択されるように構成される。
【０１７９】
本開示の実施例において、選択可能に、前記所定の時間領域範囲は、時間領域の連続な時間ユニットである。
【０１８０】
本開示の実施例において、選択可能に、前記第１プロセッサ１００１は、さらに、前記オフセット値および／または周期値に基づいて、ダウンリンク制御チャネルが送信される時間領域リソースを決定することに用いられ、前記第１トランシーバ１００２は、さらに、前記時間領域リソースでダウンリンク制御チャネルを送信することに用いられる。
【０１８１】
本開示の実施例において、選択可能に、前記第１プロセッサ１００１は、さらに、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳ（Ｓｕｂｃａｒｒｉｅｒ  Ｓｐａｃｉｎｇ）に対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが送信される時間領域リソースを決定することに用いられる。
【０１８２】
さらに、ダウンリンク制御チャネルが送信される時間領域リソースをオフセット値または周期値のみによって決定してもよい。たとえば、ダウンリンク制御チャネルが送信される時間領域リソースをオフセット値のみによって決定する場合、前記第１プロセッサは、さらに、式（Ｗ×ｎｆ×２ｋ＋ｎｓ−Ｔｏｆｆｓｅｔ）＝０によって、ダウンリンク制御チャネルが送信される時間領域リソースを決定することに用いられる。
【０１８３】
また、たとえば、ダウンリンク制御チャネルが送信される時間領域リソースを周期のみによって決定する場合、前記第１プロセッサは、さらに、式（Ｗ×ｎｆ×２ｋ＋ｎｓ）ｍｏｄ  Ｔｐｅｒｉｏｄ＝０によって、ダウンリンク制御チャネルが送信される時間領域リソースを決定することに用いられる。
【０１８４】
本開示の実施例において、選択可能に、前記第１トランシーバ１００２は、さらに、前記ダウンリンク制御チャネルブラインド検出周期パラメータをユーザ端末に通知することに用いられる。
【０１８５】
本開示の実施例において、選択可能に、前記第１トランシーバ１００２は、さらに、ハイレイヤシグナリングまたはＭＩＢ情報によって、前記ダウンリンク制御チャネルブラインド検出周期パラメータを前記ユーザ端末に送信することに用いられる。
【０１８６】
本開示の実施例による基地局は、上記の方法実施例を実行可能であり、その実現原理および技術効果が似ているため、本実施例ではここで繰り返して記載しない。
【０１８７】
本開示の実施例において、ユーザ端末をさらに提供する。ユーザ端末は、問題を解決する原理が本開示の実施例におけるダウンリンク制御チャネル検出受信方法に似ているため、当該ユーザ端末の実施について方法の実施を参照し、重複なところを繰り返して記載しない。
【０１８８】
図１１を参照する。図１１には、ユーザ端末の構造が示されている。当該ユーザ端末１１００は、ダウンリンク制御チャネルブラインド検出周期パラメータを決定するための第２プロセッサ１１０１と、前記ダウンリンク制御チャネルブラインド検出周期パラメータに基づいてダウンリンク制御チャネルを検出受信するための第２トランシーバ１１０２とを含む。
【０１８９】
本開示の実施例において、選択可能に、前記ダウンリンク制御チャネルブラインド検出周期パラメータは、少なくともオフセット値および／または周期値を含む。ここで、前記オフセット値は、端末によるダウンリンク制御チャネルの検出受信が必要な時間領域リソースの、所定の時間領域範囲内のオフセットを示す。前記周期値は、端末によるダウンリンク制御チャネルの検出受信の周期を示す。前記オフセット値と前記周期値の単位は、前記時間領域リソースに一致する。
【０１９０】
本開示の実施例において、選択可能に、前記ダウンリンク制御チャネルブラインド検出周期パラメータは、所定のダウンリンク制御チャネルブラインド検出周期パラメータである。
【０１９１】
本開示の実施例において、選択可能に、第２トランシーバ１１０２は、さらに、基地局によって構成されたダウンリンク制御チャネルブラインド検出周期パラメータを受信することに用いられる。
【０１９２】
本開示の実施例において、選択可能に、第２トランシーバ１１０２は、さらに、基地局によって構成されたダウンリンク制御チャネルブラインド検出周期パラメータを含むハイレイヤシグナリングまたはＭＩＢ情報を受信することに用いられる。
【０１９３】
本開示の実施例において、選択可能に、前記オフセット値は、所定の時間領域範囲に含まれる最大時間領域リソース数より小さい任意の整数として構成される。
【０１９４】
本開示の実施例において、選択可能に、前記オフセット値は、特定のオフセット値グループから選択されるように構成される。
【０１９５】
本開示の実施例において、選択可能に、前記特定のオフセット値グループは、基地局によって構成され、またはプロトコルによって取り決められる。
【０１９６】
本開示の実施例において、選択可能に、前記周期値は、所定の周期値グループから選択されるように構成される。
【０１９７】
本開示の実施例において、選択可能に、前記所定の時間領域範囲は、時間領域の連続な時間ユニットである。
【０１９８】
本開示の実施例において、選択可能に、前記第２プロセッサ１１０１は、さらに、前記オフセット値および／または周期値に基づいて、ダウンリンク制御チャネルが検出受信される時間領域リソースを決定することに用いられ、前記第２トランシーバ１１０２は、さらに、前記時間領域リソースでダウンリンク制御チャネルを検出受信することに用いられる。
【０１９９】
本開示の実施例において、選択可能に、前記第２プロセッサ１１０１は、さらに、式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが検出受信される時間領域リソースを決定することに用いられる。
【０２００】
さらに、ダウンリンク制御チャネルが検出受信される時間領域リソースをオフセット値または周期値のみによって決定してもよい。たとえば、ダウンリンク制御チャネルが検出受信される時間領域リソースをオフセット値のみによって決定する場合、前記第２プロセッサは、さらに、式（Ｗ×ｎｆ×２ｋ＋ｎｓ−Ｔｏｆｆｓｅｔ）＝０によって、ダウンリンク制御チャネルが検出受信される時間領域リソースを決定することに用いられる。
【０２０１】
また、たとえば、ダウンリンク制御チャネルが検出受信される時間領域リソースを周期のみによって決定する場合、前記第２プロセッサは、さらに、式（Ｗ×ｎｆ×２ｋ＋ｎｓ）ｍｏｄ  Ｔｐｅｒｉｏｄ＝０によって、ダウンリンク制御チャネルが検出受信される時間領域リソースを決定することに用いられる。
【０２０２】
本開示の実施例によるユーザ端末は、上記の方法実施例を実行可能であり、その実現原理と技術効果が似ているため、本実施例ではここで繰り返して記載しない。
【０２０３】
本開示の実施例は、基地局を提供する。図１２には、本開示の実施例による基地局の構造図が示されている。図１２に示すように、基地局１２００は、プロセッサ１２０１と、トランシーバ１２０２と、メモリ１２０３と、ユーザインタフェース１２０４と、バスインタフェースを含む。
【０２０４】
プロセッサ１２０１は、バスアーキテクチャと通常の処理を管理する。メモリ１２０３は、プロセッサ１２０１による操作実行に使用されるデータを記憶できる。
【０２０５】
本開示の実施例において、基地局１２００は、メモリ１２０３に記憶されてプロセッサ１２０１で実行可能なコンピュータプログラムをさらに含む。コンピュータプログラムがプロセッサ１２０１によって実行されると、ダウンリンク制御チャネルブラインド検出周期パラメータを決定するステップと、前記ダウンリンク制御チャネルブラインド検出周期パラメータに基づいてダウンリンク制御チャネルを送信ステップとが実現される。
【０２０６】
図において、バスアーキテクチャは、任意数の相互接続するバスとブリッジを含み、具体的に、プロセッサ１２０１をはじめとする１つ又は複数のプロセッサとメモリ１２０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本開示の実施例においてさらなる記載をしない。バスインタフェースにより、インタフェースが提供される。トランシーバ１２０２は、複数の部品であってもよく、即ち送信機と受信機を含み、伝送媒体でほかの各種類の装置と通信するユニットとして提供される。ユーザ端末によっては、ユーザインタフェース１２０４は、内部接続や外部接続する機器のインタフェースであってもよい。接続する機器は、キーパッド、ディスプレイ、スピーカ、マイクロフォン、ジョイスティックなどを含むが、それらに限られない。
【０２０７】
プロセッサ１２０１は、バスアーキテクチャと通常の処理を管理する。メモリ１２０３は、プロセッサ１２０１による操作実行に使用されるデータを記憶できる。
【０２０８】
図１３に示すように、図１３に示すユーザ端末１３００は、少なくとも１つのプロセッサ１３０１と、メモリ１３０２と、少なくとも１つのネットワークインタフェース１３０４と、ユーザインタフェース１３０３を含む。ユーザ端末１３００における各構成部品は、バスシステム１３０５を介して結合される。バスシステム１３０５は、これらの構成部品の間の接続と通信に用いられることが理解できる。バスシステム１３０５は、データバスのほかに、電源バス、制御バスおよび状態信号バスをさらに含む。ただし、明確に説明するために、図１３において、各種類のバスをすべてバスシステム１３０５として表記している。
【０２０９】
ここで、ユーザインタフェース１３０３は、ディスプレイ、キーボードまたはポインティングデバイス（たとえばマウス、トラックボール（ｔｒａｃｋ  ｂａｌｌ））、タッチパネルまたはタッチスクリーンなどを含む。
【０２１０】
本開示の実施例におけるメモリ１３０２は、揮発性メモリまたは非揮発性メモリであり、または、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）またはフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１３０２は、これらに限られず、これらおよびこれら以外の任意の適合する種類のメモリを含むとする。
【０２１１】
一部実施例において、メモリ１３０２には、実行可能なモジュールまたはデータ構造、またはそれらのサブセット、または、それらの拡張セットであるオペレーションシステム１３０２１とアプリケーションプログラム１３０２２が記憶されている。
【０２１２】
ここで、オペレーションシステム１３０２１は、フレーム層、コアライブラリ層、駆動層など各種類のシステムプログラムを含み、各種類のベーシックサービスの実現およびハードウェアに基づくタスクの処理に用いられる。アプリケーションプログラム１３０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１３０２２に含まれる。
【０２１３】
本開示の実施例において、メモリ１３０２に保存されているプログラムまたは指令を呼び出し、具体的に、アプリケーションプログラム１３０２２に保存されているプログラムまたは指令を呼び出すことによって、ダウンリンク制御チャネルブラインド検出周期パラメータを決定するステップと、前記ダウンリンク制御チャネルブラインド検出周期パラメータに基づいてダウンリンク制御チャネルを検出受信するステップとが実現される。
【０２１４】
本開示の実施例は、プログラムが記憶されているコンピュータ読み取り可能な記憶媒体をさらに提供する。当該プログラムがプロセッサによって実行されると、以上記載したダウンリンク制御チャネル送信方法のステップが実現され、または、以上記載したダウンリンク制御チャネル検出受信方法のステップが実現される。
【０２１５】
本開示の開示内容と関連付けて記載した方法またはアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスクまたは本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置ししてもよい。もちろん、プロセッサと記憶媒体は、分離構成としてコアネットワークインタフェース機器に位置してもよい。
【０２１６】
上記の１つまたは複数の例において、本開示に記載の機能がハードウェア、ソフトウェア、ファームウェアまたはそれらの組み合わせによって実現可能であることは、当業者が意識可能である。ソフトウェアで実現される場合、これらの機能をコンピュータ読み取り可能な媒体に記憶するか、コンピュータ読み取り可能な媒体の１つまたは複数の指令またはコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用または特殊用途向けのコンピュータによってアクセス可能なあらゆる利用可能な媒体である。
【０２１７】
以上に記載した具体的な実施形態によって、本開示の目的、技術手段および効果をさらなる詳細な説明をした。なお、以上の記載は、本開示の具体的な実施形態に過ぎず、本開示の保護範囲を限定するためのものではない。本開示の技術手段を基に為したあらゆる修正、均等置換および改良などは、すべて本開示の保護範囲に含まれるべきである。
【０２１８】
本開示の実施例は、方法、システム、又はコンピュータプログラムプロダクトとして提供されうると当業者が理解できる。従って、本開示の実施例は、完全にハードウェアの実施例、完全にソフトウェアの実施例、又はソフトウェアとハードウェアを組み合わせた実施例の形態を取り得る。しかも、本開示の実施例は、コンピュータ利用可能なプログラムコードを含む１つ又は複数のコンピュータ利用可能な記憶媒体（磁気ディスクメモリ、ＣＤ−ＲＯＭ、光学メモリなどを含むが、それらに限らない）で実施されるコンピュータプログラムプロダクトの形態を取り得る。
【０２１９】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０２２０】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０２２１】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０２２２】
明らかに、当業者は、本開示の精神や範囲を逸脱せずに、本開示の実施例に対して様々な変更や変形をすることができる。このように、本開示の実施例のこれらの修正や変形が本開示の請求項及びその同等の技術範囲に含まれるものであれば、本開示は、これらの変更や変形を含むことを意図とする。
【図１】
2021500817.tif 000007
【図２】
2021500817.tif 000008
【図３】
2021500817.tif 000009
【図４】
2021500817.tif 000010
【図５】
2021500817.tif 000011
【図６】
2021500817.tif 000012
【図７】
2021500817.tif 000013
【図８】
2021500817.tif 000014
【図９】
2021500817.tif 000015
【図１０】
2021500817.tif 000016
【図１１】
2021500817.tif 000017
【図１２】
2021500817.tif 000018
【図１３】
2021500817.tif 000019
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
基地局に応用されるダウンリンク制御チャネル送信方法において、
ダウンリンク制御チャネルブラインド検出周期パラメータを決定することと、
前記ダウンリンク制御チャネルブラインド検出周期パラメータに基づいてダウンリンク制御チャネルを送信することとを含み、
前記ダウンリンク制御チャネルブラインド検出周期パラメータは、少なくともオフセット値および／または周期値を含み、
ここで、前記オフセット値は、端末によるダウンリンク制御チャネルの検出受信が必要な時間領域リソースの、所定の時間領域範囲内のオフセットを示し、
前記周期値は、端末によるダウンリンク制御チャネルの検出受信の周期を示し、
前記オフセット値と前記周期値の単位は、前記時間領域リソースに一致し、前記ダウンリンク制御チャネルブラインド検出周期パラメータに基づいてダウンリンク制御チャネルを送信することは、
前記オフセット値および／または周期値に基づいて、ダウンリンク制御チャネルが送信される時間領域リソースを決定することと、
前記時間領域リソースでダウンリンク制御チャネルを送信することとを含み、
前記オフセット値および周期値に基づいて、ダウンリンク制御チャネルが送信される時間領域リソースを決定することは、
式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳ（Ｓｕｂｃａｒｒｉｅｒ  Ｓｐａｃｉｎｇ）に対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが送信される時間領域リソースを決定することを含む、ダウンリンク制御チャネル送信方法。
【請求項２】
前記ダウンリンク制御チャネルブラインド検出周期パラメータは、所定のダウンリンク制御チャネルブラインド検出周期パラメータである、請求項１に記載の方法。
【請求項３】
前記ダウンリンク制御チャネルブラインド検出周期パラメータは、前記基地局によって構成されたダウンリンク制御チャネルブラインド検出周期パラメータであり、
前記オフセット値は、所定の時間領域範囲に含まれる最大時間領域リソース数より小さい任意の整数として構成され、または、
前記オフセット値は、特定のオフセット値グループから選択されるように構成される、請求項１に記載の方法。
【請求項４】
前記特定のオフセット値グループは、基地局によって構成され、またはプロトコルによって取り決められる、請求項３に記載の方法。
【請求項５】
前記周期値は、所定の周期値グループから選択されるように構成される、請求項３に記載の方法。
【請求項６】
前記所定の時間領域範囲は、時間領域の連続な時間ユニットである、請求項１に記載の方法。
【請求項７】
前記ダウンリンク制御チャネルブラインド検出周期パラメータをユーザ端末に通知することをさらに含み、
前記ダウンリンク制御チャネルブラインド検出周期パラメータをユーザ端末に通知することは、
ハイレイヤシグナリングまたはＭＩＢ（Ｍａｓｔｅｒ  Ｉｎｆｏｒｍａｔｉｏｎ  Ｂｌｏｃｋ）情報によって、前記ダウンリンク制御チャネルブラインド検出周期パラメータを前記ユーザ端末に送信することを含む、請求項３に記載の方法。
【請求項８】
ユーザ端末に応用されるダウンリンク制御チャネル検出受信方法において、
ダウンリンク制御チャネルブラインド検出周期パラメータを決定することと、
前記ダウンリンク制御チャネルブラインド検出周期パラメータに基づいてダウンリンク制御チャネルを検出受信することとを含み、
前記ダウンリンク制御チャネルブラインド検出周期パラメータは、少なくともオフセット値および／または周期値を含み、
ここで、前記オフセット値は、端末によるダウンリンク制御チャネルの検出受信が必要な時間領域リソースの、所定の時間領域範囲内のオフセットを示し、
前記周期値は、端末によるダウンリンク制御チャネルの検出受信の周期を示し、
前記オフセット値と前記周期値の単位は、前記時間領域リソースに一致し、
前記ダウンリンク制御チャネルブラインド検出周期パラメータに基づいてダウンリンク制御チャネルを検出受信することは、
前記オフセット値および／または周期値に基づいて、ダウンリンク制御チャネルが検出受信される時間領域リソースを決定することと、
前記時間領域リソースでダウンリンク制御チャネルを検出受信することとを含み、
前記オフセット値および周期値に基づいて、ダウンリンク制御チャネルが検出受信される時間領域リソースを決定することは、
式（Ｗ×ｎｆ×２ｋ＋ｎｓ−Ｔｏｆｆｓｅｔ）ｍｏｄ  Ｔｐｅｒｉｏｄ＝０（Ｗ：所定の時間領域範囲；ｎｆ：所定の時間領域範囲の番号；ｋ：所定の時間ユニット内の異なるＳＣＳに対応する時間領域リソース数；ｎｓ：所定の時間領域範囲内の時間領域リソースの番号；Ｔｏｆｆｓｅｔ：オフセット値；Ｔｐｅｒｉｏｄ：周期値。）によって、ダウンリンク制御チャネルが検出受信される時間領域リソースを決定することを含む、ダウンリンク制御チャネル検出受信方法。
【請求項９】
前記ダウンリンク制御チャネルブラインド検出周期パラメータは、所定のダウンリンク制御チャネルブラインド検出周期パラメータである、請求項８に記載の方法。
【請求項１０】
前記ダウンリンク制御チャネルブラインド検出周期パラメータを決定することは、
基地局によって構成されたダウンリンク制御チャネルブラインド検出周期パラメータを受信することを含み、
基地局によって構成されたダウンリンク制御チャネルブラインド検出周期パラメータを受信することは、
基地局によって構成されたダウンリンク制御チャネルブラインド検出周期パラメータを含むハイレイヤシグナリングまたはＭＩＢ情報を受信することを含み、
前記オフセット値は、所定の時間領域範囲に含まれる最大時間領域リソース数より小さい任意の整数として構成され、
前記オフセット値は、特定のオフセット値グループから選択されるように構成される、請求項８に記載の方法。
【請求項１１】
前記特定のオフセット値グループは、基地局によって構成され、またはプロトコルによって取り決められる、請求項１０に記載の方法。
【請求項１２】
前記周期値は、所定の周期値グループから選択されるように構成される、請求項１０に記載の方法。
【請求項１３】
前記所定の時間領域範囲は、時間領域の連続な時間ユニットである、請求項１０に記載の方法。
【請求項１４】
ダウンリンク制御チャネルブラインド検出周期パラメータを決定するための第１プロセッサと、
前記ダウンリンク制御チャネルブラインド検出周期パラメータに基づいてダウンリンク制御チャネルを送信するための第１トランシーバとを含む、基地局。
【請求項１５】
ダウンリンク制御チャネルブラインド検出周期パラメータを決定するための第２プロセッサと、
前記ダウンリンク制御チャネルブラインド検出周期パラメータに基づいてダウンリンク制御チャネルを検出受信するための第２トランシーバとを含む、ユーザ端末。
【国際調査報告】
2021500817.tif 000020
2021500817.tif 000021
2021500817.tif 000022
2021500817.tif 000023